(57)【要約】 【課題】構造が簡単で、残液を確実に減少させることができるポンプディスペンサ容器の開発【解決手段】胴部４と底部５が一体に形成されて内容物室１１を形成していてかつ底部５において自立性を有している容器２を有し、内容物注出用のポンプの吸引パイプ２１の下先端が底部５直上の内容物室１１内の注出領域１２内に達するように容器２の開口部に内容物注出用のポンプを装着し、注出領域１２の平均の水平断面積が内容物室１１内の注出領域１２でない部分の水平断面積よりも小さく構成されている【選択図】  図１
2007076657.tif 000002
【特許請求の範囲】
【請求項１】
胴部と底部が一体に形成されて内容物室を形成していてかつ前記底部において自立性を有している容器を有し、内容物注出用のポンプディスペンサの吸引パイプの下先端が前記底部直上の前記内容物室内の注出領域内に達するように前記容器の開口部に前記内容物注出用のポンプディスペンサを装着し、前記注出領域の平均水平断面積が前記内容物室内の前記注出領域でない部分の平均水平断面積よりも小さく構成されていることを特徴とするポンプディスペンサ容器。
【請求項２】
前記注出領域の高さは前記内容物室の底面から上方に１０〜４０ｍｍの範囲内にあることを特徴とする請求項１記載のポンプディスペンサ容器。
【請求項３】
前記注出領域の容積は８０ｍｌ以下であることを特徴とする請求項１または２記載のポンプディスペンサ容器。
【請求項４】
前記注出領域の前記容器壁を容器内側に凹ませることによって前記注出領域の水平断面積が前記内容物室内の前記注出領域でない部分の平均水平断面積よりも小さく構成されていることを特徴とする請求項１〜３のいずれかに記載のポンプディスペンサ容器。
【請求項５】
前記容器の前記高さ方向に隣り合う断面の形状が類似性を保ちながら前記底部に向って水平断面積を漸減させることによって前記注出領域の平均の水平断面積が前記内容物室内の前記注出領域でない部分の平均水平断面積よりも小さく構成されていることを特徴とする請求項１〜４のいずれかに記載のポンプディスペンサ容器。
【請求項６】
前記容器の底部の接地部の外接円の直径が前記容器の最大外径の８０〜９０％であり、かつ前記注出領域の平均水平断面積が前記容器の最大外径位置の水平断面積の４０〜７０％であることを特徴とする請求項１〜５のいずれかに記載のポンプディスペンサ容器。
【請求項７】
内容物室を形成している容器を有し、内容物注出用のポンプの吸引パイプの吸引端が前記内容物室内の注出領域内に達するように前記容器の開口部に前記内容物注出用のポンプを装着しているポンプディスペンサ容器であって、前記内容物注出用のポンプの前記吸引パイプの下端に前記吸引端と連通する複数の吸引口を放射状に開設している円盤状の吸引部材を備えていることを特徴とするポンプディスペンサ容器。
【請求項８】
胴部と底部が一体に形成されて内容物室を形成していてかつ前記底部において自立性を有している容器を有し、内容物注出用のポンプの吸引パイプの吸引端が前記底部直上の前記内容物室内の注出領域内に達するように前記容器の開口部に前記内容物注出用のポンプを装着し、前記注出領域の平均の水平断面積が前記内容物室内の前記注出領域でない部分の平均水平断面積よりも小さく構成されているポンプディスペンサ容器であって、前記内容物注出用のポンプの前記吸引パイプの下端に前記吸引端と連通する複数の吸引通路を放射状に開設している円盤状の吸引部材を備えていることを特徴とするポンプディスペンサ容器。
【請求項９】
前記円盤状の吸引部材の直径が２０〜４０ｍｍであることを特徴とする請求項７または８記載のポンプディスペンサ容器。
【請求項１０】
前記容器はダイレクトブロー成形によって成形されることを特徴とする請求項１〜９のいずれかに記載のポンプディスペンサ容器。
【発明の詳細な説明】
【技術分野】
【０００１】
この発明はポンプディスペンサ容器、特に高粘度内容液に対応したポンプディスペンサ容器に関するものである。
【背景技術】
【０００２】
ポンプディスペンサ容器は容器上端の開口部に手押しポンプを取り付け、ポンプから吸引パイプを容器底部の近くまで延ばして構成し、手押しポンプを押して容器内容物を汲み出す方式の容器であり、容器を傾けなくてもポンプの操作で内容物を取り出すことができる利便性を持ち、特に、シャンプー、リンス、コンディショナーなどのクリーム状の高粘度の内容液に好適であり、広く使用されている。
【０００３】
しかし、従来のポンプディスペンサ容器では内容物が高粘度液体の場合、液量が減ってくると、図７（ａ）に示す液面を均等にしようとする圧力よりも図７（ｂ）に示す形態保持力が上回り、ポンプ吸入口近傍の内容物のみが吸い出されて図７（ｃ）に示すように空洞が形成され、それ以降はポンプが空打ち状態になって、利用できない残液量が多くなる。また、通常の高粘度内容物であれば、ポンプ吸入口付近に空洞が形成されて空打ち状態となっても、しばらく待てば内容物がゆっくりと流動して空洞が埋まり、再び液面が平坦になってポンプが有効に働くが、内容物がゲル状であるか、ゲル状の成分を多く含むような場合は形態保持力が特に強く、内容量が減って上からの圧力が小さくなると実質的に流動しなくなるため、一度形成された空洞は潰れにくく、残液量がさらに多くなる傾向にある。この残液量を少なくするための工夫として、従来からいくつかのポンプディスペンサ容器が考えられて来た（例えば特許文献１〜５参照）。
【０００４】
【特許文献１】特開平４−３３７５９号
【特許文献２】特開２００２−２６４９７９号
【特許文献３】特開平５−３５６４８号
【特許文献４】特開２００１−１０６８３号
【特許文献５】実公平３−３５７５１号
【０００５】
特許文献１のポンプディスペンサ容器は、容器胴部の積層材の内層材が外層材に対して剥離し、内層材が減圧吸収して潰れ、減容積するものであるが、外層に後加工で空気穴を開けるなど製造工程が複雑であるうえに、潰れた内層材の形状が一定しないので、残液をかき集めるために有効に機能しない。
【０００６】
特許文献２のポンプディスペンサ容器は、使用によって残液が減少するにつれて底板が底上げ式に上昇し、残液をかき集めるものであるが、容器の構造が複雑であり、容器は円筒形状に限定され、剛性も必要で重量が嵩むものになる。
【０００７】
特許文献３のポンプディスペンサ容器は、容器胴の底部を擂り鉢状に形成して減容積化し、その部分に残液を集めて吸引パイプで吸引するものであるが、高粘度の内容物に対しては擂り鉢の角度がきつくなり、容器胴には自立性が無くなるので、容器にこの自立性を与えるために別体で構成したベースカップが必要となり、部品数が多くなるだけでなく、容器のデザインに制約となる場合がある。
【０００８】
特許文献４のポンプディスペンサ容器は、２軸延伸ブロー容器の底部に突起を設けてポンプの吸入管の下端部を固定するものであるが、吸入管の下端部に形成される吸入口が、突起の上方においても開口しているので、突起が容器底部を減容化して残液を集中させる機能を発揮せず、高粘度内容物には残液を減少させる効果は小さい。
【０００９】
特許文献５のポンプディスペンサ容器は、ポンプの吸入口を仕切板上で複数設けるものであるが、容器底部との間に吸入空間を形成するので、底部の形状に性能が影響されて、内容物の吸入が安定しない。
【発明の開示】
【発明が解決しようとする課題】
【００１０】
このようなことから、構造が簡単で、残液を確実に減少させることができるポンプディスペンサ容器の開発が望まれている。
【課題を解決するための手段】
【００１１】
この目的に対応して、この発明のポンプディスペンサ容器は、胴部と底部が一体に形成されて内容物室を形成していてかつ前記底部において自立性を有している容器を有し、内容物注出用のポンプディスペンサの吸引パイプの下先端が前記底部直上の前記内容物室内の注出領域内に達するように前記容器の開口部に前記内容物注出用のポンプディスペンサを装着し、前記注出領域の平均水平断面積が前記内容物室内の前記注出領域でない部分の平均水平断面積よりも小さく構成されていることを特徴としている。
【００１２】
また、この発明のポンプディスペンサ容器は、内容物室を形成している容器を有し、内容物注出用のポンプの吸引パイプの吸引端が前記内容物室内の注出領域内に達するように前記容器の開口部に前記内容物注出用のポンプを装着しているポンプディスペンサ容器であって、前記内容物注出用のポンプの前記吸引パイプの下端に前記吸引端と連通する複数の吸引口を放射状に開設している円盤状の吸引部材を備えていることを特徴としている。
【００１３】
また、この発明のポンプディスペンサ容器は、胴部と底部が一体に形成されて内容物室を形成していてかつ前記底部において自立性を有している容器を有し、内容物注出用のポンプの吸引パイプの吸引端が前記底部直上の前記内容物室内の注出領域内に達するように前記容器の開口部に前記内容物注出用のポンプを装着し、前記注出領域の平均の水平断面積が前記内容物室内の前記注出領域でない部分の平均水平断面積よりも小さく構成されているポンプディスペンサ容器であって、前記内容物注出用のポンプの前記吸引パイプの下端に前記吸引端と連通する複数の吸引通路を放射状に開設している円盤状の吸引部材を備えていることを特徴としている。
【発明の効果】
【００１４】
この発明のポンプディスペンサ容器では、容器の底部近傍に容積の小さい注出領域を形成し、容器内の残液をこの注出領域に集中させた後にポンプで吸い上げるので、容器内に注出できずに残る残液の量を減量させることができる。特に、請求項１に記載されているポンプディスペンサ容器によれば、容器内の内容物の残量を、容器底部直上の注出領域内に集中させ、それを吸引パイプで吸引することにより、ほとんどの内容物の注出を効率よく行うことができ、残量を減少させることができる。
【００１５】
請求項２に記載されているポンプディスペンサ容器によれば、特に残液の減量が良好である。
【００１６】
請求項３に記載されているポンプディスペンサ容器によれば、特に注出領域への残液の集中が良好で、残液の減量が良好である。
【００１７】
請求項４に記載されているポンプディスペンサ容器によれば、特に、注出領域の形成が容易である。
【００１８】
請求項５に記載されているポンプディスペンサ容器によれば、特に、注出領域への残液の流入が円滑で、かつ、容器形状の変化も滑らかで、内容物の滞留もない。
【００１９】
請求項６に記載されているポンプディスペンサ容器によれば、特に、容器の自立安定性を高めることができる。
【００２０】
請求項７に記載されているポンプディスペンサ容器によれば、特に容器内の残液を満遍なく吸収して、残液量を減少させることができる。
【００２１】
請求項８に記載されているポンプディスペンサ容器によれば、特に、内容物を満遍なく吸引して残液量を減少させることができる。
【００２２】
請求項９に記載されているポンプディスペンサ容器によれば、特に、残液量を良好に減少させることができる吸引部材を得ることができる。
【００２３】
請求項１０に記載されているポンプディスペンサ容器によれば、特に生産効率のよいものを得ることができる。
【００２４】
以上のこの発明のポンプディスペンサ容器は、高粘度の内容物を収容するのに有効であり、内容物がゲル状であるか、ゲル状の成分を多く含む場合に特に好適である。
【発明を実施するための最良の形態】
【００２５】
以下、この発明の詳細を図面を参照して説明する。なお、図中では全てポンプを最下点まで押し下げた位置で例示する。
図１において、１はポンプディスペンサ容器である。ポンプディスペンサ容器１は容器２とポンプディスペンサ３とを有する。
【００２６】
容器１は胴部４と下端の底部５とを有し、また胴部４の上端には肩部６を介してノズル部７が設けられ、ノズル部７の上端は開口８が開いている。ノズル部７と開口８は、ポンプディスペンサを容器に取り付けるスクリュー部分で隠れている。胴部４、底部５は協働して内容物を充填するための内部空間である内容物室１１を形成する。内容物室１１の一部分として底部５の直近の部分に注出領域１２が形成されている。注出領域１２はその上隣りの注出領域でない内容物主室１３と連続して内容物室１１を構成する。注出領域１２の範囲は、図７に示す従来形状の容器のような単純な筒状の容器においてポンプの空打ち現象が生じる高さを基準として、それよりも下方の領域である。この発明における注出領域１２の平均水平断面積は、内容物主室１３の平均水平断面積よりも小さい。
【００２７】
注出領域１２の平均水平断面積を内容物主室１３の平均水平断面積より小さくするためには図１に示すように、内容物室１１内に底部５の直上部分で周囲から中央に向けて張り出し部１４を設けて容器２の鉛直方向に垂直な横断面積を減少させて中央部に注出領域１２を形成するものや、図２に示すように、底部から凸起１５を立ち上げ形成し、底部５の直上部の横断面積を減少させて中央部に注出領域１２を形成することが考えられる。さらに図３に示すように、底部５の直上の注出領域１２で側壁を部分的に内側へ窪ませて、横断面積を減少させて中央部に注出領域１２を形成するものや、図４に示すように、側壁にひだ１７を設け、底部に向って徐々にひだを深くして横断面積を減少させるものが考えられる。図２から図４で示す容器２の場合はいずれも、底部５の接地部１６は底部５の周縁近傍に設けられ容器２に自立性を与えている。
【００２８】
図５に示す容器２では、底部５の直上部分が全体として擂り鉢状になっていて横断面積を減少させるもので、かつ擂り鉢状の底部に自立性を持たせるために、底部５から４本の脚１８を張り出させて構成している。
【００２９】
以上の図１から図５に示す容器において、注出領域１２の高さは底部５から垂直上方に１０〜４０ｍｍの範囲内にあることが好ましい。注出領域１２の高さが１０ｍｍより低ければ実質的に残液の問題がなく、４０ｍｍを大きく上回る場合は内容物の粘度が高すぎ、ポンプの操作が困難になる。さらに注出領域１２の容積は８０ｍｌ以下であることが好ましい。
【００３０】
容器２の形状については、容器の底部５の接地部１６の外接円の直径が容器の最大外径の８０〜９０％であり、かつ前記注出領域の平均水平断面積が容器最大外径位置の内面の水平断面積の４０〜７０％である。
【００３１】
このようなポンプディスペンサ容器１は取り扱う内容物が高粘度液体であるときに顕著な効果を発揮し、内容物がゲル状であるか、ゲル状の成分を多く含む場合に特に有効である。このような構成された注出領域１２にはポンプディスペンサ３の吸引パイプ２１の吸引端２２が達していて、ポンプディスペンサ３を手動で押圧すると吸引パイプ２１が注出領域１２から内容物を吸引して注出する。
【００３２】
このように構成されたポンプディスペンサ容器１では、容器２内の内容物が注出されて残り少なくなったときに、残液は小容積の注出領域１２に集められるので、内容物が高粘度液体の場合にも、残液における横断面積と深さの比が小さくなり、液面を均等にしようとする圧力が形態保持力を高まわり、残液量がごく小さくなるまで、空打ちすることなく有効に吸引される。またゲル状内容物のように、形態保持力がきわめて強い内容物に対しても、注出領域１２の容積が小さいので、残液量を充分小さくできる。
【００３３】
図６はポンプディスペンサ３の他の実施に係るポンプディスペンサ３ｂを示している。このポンプディスペンサ３ｂでは吸引パイプ２１の下端に円盤状の吸引部材２３を取り付けてある。吸引部材２３はその直径が２０〜４０ｍｍをなす円盤状体で、吸引パイプ２１の下端に吸引端２２と連通する複数の吸引口２４を放射状に開設したものである。
【００３４】
このように構成されたポンプディスペンサ３ｂを使用する場合は、吸引部材２３の内容物を吸引する吸引口２４が中心から距離を隔てた円周上の位置に放射状に多数が開口しているので、ここから内容物を吸引した場合に、周囲から均等に吸引することになり、その結果、内容物の残液に対して均一に液面を低下させるような流れを発生させ、残液を注出領域に集中させることができ、空打ちなく残液を減少させることができる。
【００３５】
このポンプディスペンサ３ｂは従来のポンプディスペンサ容器（図７参照）においても使用可能なものであるが、この発明のポンプディスペンサ容器１における縮減した容積の注出領域１２において使用すると特に良好な残液減少の効果を得ることができる。
＜実験例＞
本発明の有効性を、以下の実験例で実証する。
＜実験例１＞
ダイレクトブロー成形で図２ないし図５、および図７に示す形状の容器（満注内容量６４０ｍＬ）を成形した。
【００３６】
これらの容器にゲル状タイプの粘度の高い市販コンディショナーを充填して、ポンプディスペンサを装着し、ポンプ操作を繰り返して空打ちが起こった時の残液量を測定した。
評価結果を表１に示す。
【００３７】
従来形状である図７の容器と比較して、底側を凹ませて注出領域の容積を減少した図２の容器でも、ある程度残液量を削減する効果はみられたが、側壁から凹ませた図３や、断面形状をスムーズに変化させた図４、５の容器の方がより残液量が少なかった。
特に図５の形状の容器は残液量が従来形状の半分以下であり、最も効果があった。
【００３８】
【表１】
2007076657.tif 000003
【００３９】
＜実験例２＞
次に、図６に示す吸引部材（直径３０ｍｍ）を装着したポンプディスペンサを使用して、図３の形状の容器について実験例１と同様に残液量を測定した。
表２に示したとおり、吸引部材を使用することによる残液量を削減する効果が確認された。
【００４０】
【表２】
2007076657.tif 000004
【図面の簡単な説明】
【００４１】
【図１】この発明の一実施形態のポンプディスペンサ容器の縦断面説明図。
【図２】この発明の他の実施形態のポンプディスペンサ容器を示す図で（ａ）は正面図、（ｂ）は底面図である。
【図３】この発明の他の実施形態のポンプディスペンサ容器を示す図で（ａ）は正面図、（ｂ）は（ａ）におけるＡ−Ａ’部断面図である。
【図４】この発明の他の実施形態のポンプディスペンサ容器を示す図で（ａ）は正面図、（ｂ）は底面図である。
【図５】この発明の他の実施形態のポンプディスペンサ容器を示す図で（ａ）は正面図、（ｂ）は（ａ）におけるＡ−Ａ’部断面図、（ｃ）は底面図である。
【図６】この発明の他の実施形態のポンプディスペンサ容器を示す図で、（ａ）は縦断面説明図、（ｂ）は吸引部材の底面図。
【図７】従来のポンプディスペンサ容器を示す説明図。
【符号の説明】
【００４２】
１        ポンプディスペンサ容器
２        容器
３、３ｂ  ポンプディスペンサ
４        胴部
５        底部
６        肩部
７        ノズル部
８        開口
１１      内容物室
１２      注出領域
１３      内容物主室
１４      張り出し部
１５      凸起
１６      接地部
１７      ひだ
１８      脚
２１      吸引パイプ
２２      吸引端
２３      吸引部材
２４      吸引口
【図１】
2007076657.tif 000005
【図２】
2007076657.tif 000006
【図３】
2007076657.tif 000007
【図４】
2007076657.tif 000008
【図５】
2007076657.tif 000009
【図６】
2007076657.tif 000010
【図７】
2007076657.tif 000011
【手続補正書】
【提出日】平成17年9月22日(2005.9.22)
【手続補正１】
【補正対象書類名】明細書
【補正対象項目名】０００４
【補正方法】変更
【補正の内容】
【０００４】
【特許文献１】特開平４−３３９７５９号
【特許文献２】特開２００２−２６４９７９号
【特許文献３】特開平５−３５６４８号
【特許文献４】特開２００１−１０６８３号
【特許文献５】実公平３−３５７５１号